(57)【要約】　　　（修正有）【課題】従来の破袋機は袋が機械装置内部の構造物に絡まるため負荷がかかって不具合を生じ、運転が度々停止することがあり、連続運転の阻害やメンテナンスに時間を要することが問題となっていた。袋や内容物が絡まず安定して連続運転が可能で、メンテナンスのかからないシンプルな構造のゴミ収集袋等の破袋機を提供する。【解決手段】基台５に上部と下部を開放した破袋室１４を設け、破袋室１４の相対向した面をそれぞれ規制板９で構成する。規制板９には円板２の一部分が出るようにした複数のスリットを設ける。規制板９に対して平行に配置した２本の回転軸１を基台５に取り付け、回転軸１にはスリットに合わせて円板２を取り付ける．円板２の外周を片刃あるいは両刃の形状に加工し、さらに円周上に三角形状の刃１２を複数配置する。回転軸１の回転方向を対向するようにして、一方の回転軸を低速で回転し、他方の回転軸をそれより早く回転させる。【選択図】　図４
2004058042.tif 000002
【特許請求の範囲】
【請求項１】
基台に上部と下部を開放した破袋室を設け、破袋室の相対向した面はそれぞれ規制板で構成する。規制板には円板の一部分が破袋室内に出るようにした複数のスリットを設ける。規制板に対して平行にした２本の回転軸を基台に取り付けるとともに、回転軸にはスリットに合わせて円板を取り付けることを特徴とするゴミ収集袋等の破袋機。
【請求項２】
円板の外周を片刃あるいは両刃の形状に加工し、さらに、円周上に三角形状の刃を複数設けることを特徴とする請求項１記載のゴミ収集袋等の破袋機。
【請求項３】
回転軸の回転方向を対向するようにして、一方の回転軸を低速で回転し、他方の回転軸をそれより早く回転させることを特徴とする請求項１、２に記載のゴミ収集袋等の破袋機。
【発明の詳細な説明】
【０００１】
【発明の属する技術分野】
本発明はゴミ処理センターに集められたゴミや廃プラスチック類の収集袋を解体して内容物を次の工程で分別処理するための破袋機に関するものである。
【０００２】
【従来の技術】
従来例として図１、図２のものが使用され、さらに図示をしないが、熱線を利用して袋を熱で溶かし破袋する方法も行われている。
図１のものは小ドラム部分（Ａ）で袋を保持しつつ、大ドラムの刃（Ｂ）で袋を引きちぎる方式のものである。
図２のものは高圧水を噴射するノズル（Ｃ）を取り付けて破袋し、回転ドラム排出口付近の爪（Ｄ）により袋の中身を出す方式のものである。
【０００３】
【発明が解決しようとする課題】
図１のものは大ドラムの刃で袋を引っ掛ける方式のものであるから、袋は引ちぎられて結果として刃に絡み付くことがある。絡み付く量が多くなると回転に多大な負荷がかかる等の不具合を生じ、機械が停止する要因となる。この場合、絡み付いた袋を取り除く作業を強いられる。
図２のものは内容物が水に濡れるので、ゴミの種類が限定され、また水を回収する必要もあって大掛かりな装置となる。
熱線を使用する方式は内容物に爆発性のものが混入していた場合には非常に危険である。
本発明は収集袋や内容物が機械に絡まって運転を停止する不具合を生じないシンプルな構造の破袋機を提供することを目的とする。
【０００４】
【課題を解決するための手段】
請求項１に係る発明は基台に上部と下部を開放した破袋室を設け、破袋室の相対向した面はそれぞれ規制板で構成する。規制板には円板の一部分が出るようにした複数のスリットを設ける。規制板に対して平行に２本の回転軸を基台に取り付け、回転軸にスリットに合わせて円板を取り付ける。
請求項２に係る発明は円板の周囲を片刃あるいは両刃の形状に加工し、さらに、円周上に三角形状の複数設ける。
請求項３に係る発明は回転軸の回転方向を対向するようにして、一方の回転軸を低速で回転し、他方の回転軸をそれより早く回転させる。
本発明は以上の手段によって上記課題を解決するものであって、要約すれば２軸の回転軸に複数の円板を相対向させ、互いの回転数を異ならせるとともに、円板の周囲に刃部を形成し、さらに複数の三角形状の刃を設けているので容易にゴミ収集袋を切り裂くことができ、袋や内容物が絡むことがない優れた刃袋機が提供できる。
【０００５】
【作用】
次に本発明の作用を述べると、破袋室において、回転軸の一方を低速にして、他方をそれより早く回転させ、回転方向を互いに逆向きとする。これにより、円板は互いに異なった周速で回転する。この状態で、ゴミ収集袋を上方より投入すると、ゴミ収集袋は低速回転側の円板に設けた三角形状の刃に引っかかりゆっくりと回転する。対向した円板は早く回転しているので三角形状の刃と円板円周上の刃によって袋が切り裂かれる。三角形状の刃は先端から対称の一定角度をなしているので袋を切り裂いても円板に絡みつくことはない。
さらに円板は複数配置しているので、袋には幾筋もの切り裂きが生じ、内容物は出やすくなる。
このようにして落下した場合、内容物は切り裂きから飛び出るとともにゴミ収集袋も簡単に回収することができる。
【０００６】
【実施例】
以下、本発明の実施例について説明する。
図３に示すように、回転軸（１）に複数の円板（２）をカラー（３）とともに挿入し、両端にベアリングユニット（４）を取り付ける。
【０００７】
次に図４に示すように、基台（５）にベアリングユニット（４）を固定し、円板（２）を回動可能とする。
【０００８】
回転軸（１）の一端に回転駆動用のスプロケット（６）、モーター（７）、を取り付け、チェーン（８）を張る。
駆動伝達手段としてはギヤー、タイミングベルト、Ｖプーリー等のいずれでも良い。
【０００９】
次に、図７に示すように規制板（９）のスリット（１３）と円板（２）の位置を合わせ、対向した円板（２）が交互に位置するようにして、規制板（９）を基台（５）に取り付け、破袋室（１４）を形成する。
次に、基台（５）に上部ホッパー（１０）と排出口（１１）を取り付ける。
【００１０】
円板（２）は図５に示すように外周に両刃（イ）あるいは片刃（ロ）の形状に加工するとともに、円周上に複数の三角形状の刃（１２）を設ける。
三角形状の刃（１２）は図６のような形状にすることが望ましく、角度は９０度〜１４０度の範囲が選ばれ、刃の高さは５ｍｍ〜２０ｍｍとすると袋の絡みを極少とすることができる。三角形状の刃（１２）の配置数は４〜１２の範囲が効率的であり、低速回転側は袋の係止作用を高めるため、８〜１２の範囲とすることが望ましい。
【００１１】
円板（２）の回転は一方の軸を低速で回転し、他方の軸をそれより早く回転させる。一例として、低速回転側の円板（直径６０ｃｍ）の周速は１８．８ｍ／ｍｉｎ他方の回転側は３７６．８ｍ／ｍｉｎで良好な結果が得られている。
【００１２】
円板の大きさ、使用数、回転軸間の間隔、および回転数はゴミ収集袋の大きさや内容物によって最適に選定されるものであり、上記実施例の条件に限定されるものではない。
また、実施例では回転軸を２軸とした構成を記載したが、この構成をさらに追加して下側に配置した４軸構成としてもよい。
【００１３】
【発明の効果】
以上のように、本発明によれば次のような効果がある。
（１）ゴミ収集袋を確実に破袋でき、しかも全く絡まることがなく、連続して安定した運転ができる。
（２）メンテナンスに手数がかからない。
（３）構造が簡単であるから設備費が安く、経済的である。
【図面の簡単な説明】
【図１】回転刃を使用する従来例の構成図である。
【図２】高圧ノズルを使用する従来例の構成図である。
【図３】円板を取り付けた回転軸部分の断面図である。
【図４】本発明の構成を示す正面図である。
【図５】本発明の円板の刃部を示す正面図及び断面図である。
【図６】本発明の三角形状の刃を示す拡大図及び斜視図である。
【図７】本発明の構成を示す上視図である。
【符号の説明】
Ａ　　小ドラム部
Ｂ　　大ドラムの刃
Ｃ　　ノズル
Ｄ　　爪
１　　回転軸
２　　円板
３　　カラー
４　　ベアリングユニット
５　　基台
６　　スプロケット
７、　モーター
８　　チェーン
９　　規制板
１０　　上部ホッパー
１１　　排出口
１２　　三角形状の刃
１３　　スリット
１４　　破袋室
【図１】
2004058042.tif 000003
【図２】
2004058042.tif 000004
【図３】
2004058042.tif 000005
【図４】
2004058042.tif 000006
【図５】
2004058042.tif 000007
【図６】
2004058042.tif 000008
【図７】
2004058042.tif 000009